(57)【要約】      （修正有）【課題】熱線（電磁波）高反射率材料仕様によるブラインドやカーテンは建物開口部の熱損失を防ぎ、かつ輻射熱を放射させない機能を有することを可能にする。【解決手段】建物開口部熱損失を防ぐために最も有効な素材はボーキサイト精製により得られるアルミ箔１をブラインドやカーテンの表面材に使用することで容易に解決することができる。ボーキサイトは地球形成鉱物中の７％を占めるために安価であり、しかも鉄の３分の一の比重と展伸性、展延性に富むことから加工が容易である。【選択図】図１
2007303262.tif 000002
【特許請求の範囲】
【請求項１】
熱線反射率に優れたアルミ箔を使用したロールカーテン叉はカーテン並びに縦及び横ブラインドを作ることにより開口部の熱損失を防ぐことを特徴とした開口部熱損失防御法。
【請求項２】
表面材はアルミ箔とし、内部にバブル型樹脂シート叉は発泡系材料の構成或いはその他熱伝導が低い好適素材から成る請求項１記載の開口部熱損失防御法。
【請求項３】
アルミ箔と補強材の組み合わせ或いはアルミ箔と補強糸からなる請求項１，２記載の開口部熱損失防御法。
【請求項４】
表面素材は９５％以上の反射能を持つアルミ蒸着タイプの請求項１，２，３記載の開口部熱損失防御法。
【発明の詳細な説明】
【技術分野】
【０００１】  本発明は窓等開口部からの熱損失を防ぐことに関するものである。
【背景技術】
【０００２】  通常使われている開口部熱損失防御品には繊維系のカーテン、樹脂製或いは繊維系のロール状カーテン、叉は樹脂系ブラインド、二重ガラス、紫外線や熱線カットフィルム、遮熱用ペアガラス等（以下熱損防御品と云う）各種あった。【０００３】  熱損防御品は熱線いわゆる電磁波領域中、可視光線分野の波長を遮断しようとするものと、稀に輻射熱が最も多く出る赤外線領域の熱線反射率の優れた複層ガラス等があったが前者は熱線に対する効果度合いが低い事、後者に於いては高性能な商品故の高額度に問題はあったがそれでも実用上は充分とされてきた。【０００４】  本発明で使用する材料はアルミ箔である。前記熱損防御品の中にはアルミ金属（合金）も含まれてはいたがこれは軽量化とデザイン性を単に追及したものであった。叉は同種目的のアルミを粉状にして蒸着したものがあるが、熱線反射率が３５〜６０％と云う低反射率のために熱線の影響をもろに受けてしまう。また前記アルミ金属にしても熱線反射率は９〜５５％である。この事は、後に行う実験中、電熱器から出る輻射熱の前に両者を曝した場合、アルミ合金もアルミ蒸着品も瞬時に熱移動が成され熱くて触れない状態となることから明白である。【０００５】  地球に存在する全ての物質は、熱線に対して様々な反射能と吸収能から成る。吸収能は輻射熱の放射量と等しい。従って熱損防御品は熱線高反射率の材料であることが絶対条件である。【０００６】  輻射熱を大量に誘引するのは赤外線分野の波長である。しかし熱損防御品の構成材料は赤外線領域の熱線吸収能が高いものが多く大量の輻射熱を出してしまう。然しながらそれらの低レベルな材料にしても、我々が目に見る事のできる可視光線を防ぎ日陰をつくる効果を有するため、その陰影に対する視覚効果は脳細胞に誤った情報を伝達し優れた効果を有すると評価されてしまう。【０００７】  熱損防御品は元来熱線を防ぐのが主目的である事が望ましい。外部から内部を見ることが出来ないと云う隠蔽効果、結露防止効果も重要な点ではあるが、前記の熱線反射能に乏しい構成材料のため主目的が得られなかった。【０００８】  そもそも熱移動の３原則によると、伝導と対流と輻射熱が上げられる。ペンシルバニア州立大学の見解、米国熱力学体系書或いは東京大学大学院教書から、大気中の熱移動は伝導熱５％、対流熱２０％、輻射熱７５％に大別されその他の熱移動は有り得ないことでありこの熱移動３原則については、義務教育期間中に誰しもが習ったことである。【０００９】  従って最も多い７５％の輻射熱を阻止する対策を講じなければならない事は周知の通りであるがその決め手が無かった。また、輻射熱が発生する原因は、太陽からの熱線（電磁波）が物体内部に侵入し物体構成分子を動かし衝突させた結果の熱であることから、熱損失防御品の原料を熱線反射型に変更しなければ、既存の隠蔽効果や結露防止を望むのみとなる。【００１０】  前記でも説明したが地球上に存在する全ての物質は反射能と吸収能から成る。反射能が高ければ吸収能は低い。また、吸収能が高い物質は多くの輻射熱を放射する。【００１１】
【表１】
2007303262.tif 000003
【００１２】  表１は、建築資材として一般的に採用している材料の吸収能と反射能の比率である。特に注目すべきは同じアルミニウムであっても異種金属が入る合金反射率とアルミニウムを粉にした低厚み蒸着タイプの反射能が低いと云う点である。この表ではアルミ箔以外の高反射率を示すものとして光沢のある鋼鉄が上げられるがアルミ箔の最大反射率と光沢のある鋼鉄の最大反射率の差は５％と僅かであるが実際電熱器の輻射熱照射実験によると後者への熱移動は瞬時であり熱くて触れなくなるが、アルミ箔には殆ど熱の影響を受けることが無く照射後１０時間でも表面は冷たいと感じることができた。従って熱線カット率９５％以上の材料が本考案の最低値と考え好適材料としてアルミ箔を選定するに至った。またアルミ蒸着品についても高反射率は塗膜厚により好適に採用される事が判明した。
【非特許文献１】米国熱力学体系書
【非特許文献２】米国カンサス州立大学著ビル空間の熱移動比率
【非特許文献３】東京大学大学院教本「建築環境工学原論」
【発明の開示】
【発明が解決しようとする課題】
【００１３】  解決しようとする問題点は、輻射熱を喚起する熱線（電磁波）を阻止できない構成材料の点である。
【課題を解決するための手段】
【００１４】  本発明は、太陽から送られる熱線（電磁波）を反射し、開口部（窓）からの熱損失を防ぐために、熱線高反射率、叉は高純度アルミ箔を用いていることを最も主要な特徴とする。
【発明の効果】
【００１５】  本発明の熱損防御品の構成物質は、主に熱線（電磁波）反射率９５％以上のアルミ箔を用いているために、熱線防御効果と室内からの暖冷エネルギ−を室内に戻し省エネ効果を高める作用の二面性を持つ。【００１６】  アルミ箔は対流と伝導の熱移動に極めて弱いため、本発明の利用箇所によってはその弱点を補うために２枚のアルミ泊、叉は複数のアルミ箔と静止空気層として内部にバブル型樹脂シートを内臓したり、静止空気層の替わりに発泡系材料を組み合わせたりすることも可能である。
【発明を実施するための最良の形態】
【００１７】  今や全世界的に省エネ率を高めるためのあらゆる技術と商品が求められている。それには優れた技術を大前提として消費者が求めやすい価格であることが肝要であり製品化についても簡単に生産可能でなければならない。本発明は地球構成物質の７％埋蔵量のボーキサイトから精製されたアルミ箔であるため、安価でしかも比重が鉄の３分の１と軽量であって加工も容易である。
【実施例１】
【００１８】  図１は、ロール状のカーテンに使用した場合に、引き裂き強度も加味したアルミ箔シートである。強度のための補強材としては糸状繊維（２）を所定の間隔に２枚のアルミ箔（１）で挟んだものである。また、図２は片一方の熱伝播を防御するために静止空気層を用いたアルミ箔シートである。熱伝播阻止は空気層が最高の断熱材であることは公知であることから、格安なバブル型シート（４）と樹脂シート（３）を２枚のアルミ箔の間に内臓することで対策を講じた。【００１９】  図３は既存の樹脂製ブラインド表面裏面に図１のアルミシートを一体化したものである。この場合、中心素材が曲げを防ぐための補強材（５）である。また、補強の必要が無い場合は、図１のアルミシートのみも使用可能である。【００２０】  その他の仕様としては使用場所を考慮し、内部の静止空気層の厚みや静止空気層代替商品の発泡系材料等各種，その他の素材との組み合わせ等々任意で行うことが可能である。【００２１】  図５の表は、図４の実験装置で得られた輻射熱進入率を温度温度推移で表したものである。図４の２つのボックスはベニヤ製で体積は同等に作られている。一個のボックスには図１のシート（Ａ）をボックスの周り全面に取り付け、片方のボックスには通常用いられている繊維系ロールブラインド（７）を同じ仕様で取り付けた。更に、照射エネルギーとして電熱器（６）を利用し両方のボックスに赤外線輻射熱を与え続けた。また、内部の温度変化を計測するために同位置に温度センサーを取り付けた。【００２２】  図５の表により、図１のシート仕様ボックス内の温度変化と一般的に用いられてきたロールブラインドのボックス内温度変化を見ることができる。
照射９０分経過後では、２つのボックス内の温度差は実に２１℃の差となった。また一般ロールブラインド（７）仕様ボックスは変形により実験を中止した。これで分かる通り、一般的に採用されてきたロールブラインドは熱線起因の輻射熱に対しては無力であった。【００２３】  図６では一般的に採用されてきた異種金属が混入しているアルミ合金ブラインドを対抗商品として輻射熱計測実験を行った結果の温度推移である。この際片方に取り付けられたアルミ箔シートは図２で得られたシート（Ｂ）を用いた。また、この実験は実験棟２つ用意し二畳程の室内の温度変化を計測した。さらにこの実験では屋根面と壁面に図２で得られたシートで囲み条件を一定にしブラインド及びアルミ箔シートは窓（開口部）２箇所におのおの設置された。【００２４】  図６の表によると本特許のブラインドと一般のブラインド仕様実験棟内部の温度差が１３時現在７．６℃という大きな差となった。このことで開口部の影響が素材により大きく異なることが分かった。近年高気密高断熱の家が広く提唱され普及している。ただし工務店にとってもハウスメーカーにとっても開口部からの熱損失を防がねばならないと考えている人達が大半であったが、その決め手が無かった。遮熱塗料も屋根用、開口部用として最近流行り出したが、電磁波領域の可視光線分野の波長に有効なだけで、輻射熱が最も激しく誘引する赤外線領域に対応する塗料では無い。従って、本発明の開口部熱線防御商品が待たれるところである。
【産業上の利用可能性】
【００２５】  開口部のあらゆる大きさにも簡単に取り付け可能な熱線反射用本発明商品は戸建住宅やマンション、特殊な大断面構造体にも容易に施工可能であることから、省エネ対策に有効な商品となり得る。
【図面の簡単な説明】
【００２６】
【図１】補強糸入りロールカーテンの構造を示した断面図である。
【図２】バブル型樹脂内臓熱線防御型シートを示した断面図である。
【図３】横向き熱線防御ブラインドに本考案［図２］を貼り付けた斜視図である。
【図４】輻射熱進入計測装置の平面図である。
【図５】ボックス２様の内部温度変化推移表である。
【図６】実験棟内部の温度変化測定表である。
【符号の説明】
【００２７】（１）アルミ箔
（２）補強糸
（３）樹脂シート
（４）バブル型シート
（５）樹脂板
（６）電熱器
（７）繊維系ロールブラインド地
（８）ベニヤ
（９）温度センサー
（Ａ）図１の構造シート
（Ｂ）図２の構造シート
（Ｃ）図３の構造ブラインド
（Ｄ）計測装置
（Ｅ）ボックス内温度変化推移表
（Ｆ）実験棟温度変化測定表
【図１】
2007303262.tif 000004
【図２】
2007303262.tif 000005
【図３】
2007303262.tif 000006
【図４】
2007303262.tif 000007
【図５】
2007303262.tif 000008
【図６】
2007303262.tif 000009